(57)【要約】【課題】簡易な操作性を保ちつつ、操作者の操作感覚に即した適切な情報の表示を行うこと。【解決手段】押圧量検出部が、スライド操作を含む押圧操作の押圧量を検出し、振分部が、検出した押圧量に基づいて押圧操作を弱押圧操作あるいは強押圧操作に判別したうえで、弱押圧操作である場合には、弱押圧操作に応じた所定の動作パターンで動作するように、また、強押圧操作である場合には、強押圧操作に応じた所定の動作パターンで動作するように、それぞれ処理を振り分けるように表示装置を構成する。【選択図】        図３
2012118825.tif 000002
【特許請求の範囲】
【請求項１】
タッチパネルを有する表示装置であって、
前記タッチパネルにおいて検出された操作態様についての押圧の程度を示す押圧量を検出する検出手段と、
前記検出手段によって検出された前記押圧量に基づいて前記操作態様を細分化したうえで、細分化された前記操作態様のそれぞれについてあらかじめ対応付けられた処理への振り分けを行う振分手段と
を備えたことを特徴とする表示装置。
【請求項２】
タッチパネルを有する表示装置であって、
前記タッチパネルへの押圧操作における押圧力を検出する押圧力検出手段と、
前記押圧操作における押圧位置を検出する押圧位置検出手段と、
前記押圧力検出手段により検出された前記押圧力と前記押圧位置検出手段より検出された前記押圧位置とに基づいて制御内容を決定する決定手段とを有し、
前記制御内容は、同じ前記押圧位置における前記押圧力の程度に対応して、同種の制御内容で該制御内容の程度が異なることを特徴とする表示装置。
【請求項３】
前記押圧力検出手段は、検出した前記押圧力を、第１の押圧力と該第１の押圧力よりも大きい第２の押圧力とに判別することを特徴とする請求項２に記載の表示装置。
【請求項４】
前記制御内容は遷移動作に関するものであって、
前記決定手段は、前記押圧力検出手段によって前記第１の押圧力が判別された場合は、前記遷移動作として１ずつの遷移量で遷移する前記制御内容を決定し、前記押圧力検出手段によって前記第２の押圧力が判別された場合は、前記遷移動作として２以上の遷移量で遷移する前記制御内容を決定することを特徴とする請求項３に記載の表示装置。
【請求項５】
前記押圧力検出手段によって前記第１の押圧力が判別された場合は、簡易情報を表示するように制御し、前記押圧力検出手段によって前記第２の押圧力が判別された場合は、詳細情報を表示するように制御する表示制御手段をさらに有することを特徴とする請求項３又は４に記載の表示装置。
【請求項６】
前記表示装置は地図を表示し、
前記地図上に施設を示す施設アイコンを表示する施設アイコン表示手段をさらに有し、
前記押圧位置検出手段は、前記施設アイコンの位置への押圧操作を検知し、
前記決定手段は、前記押圧力検出手段によって前記第１の押圧力が判別された場合は、前記制御内容として該当施設の概要情報を表示する制御を決定し、前記押圧力検出手段によって前記第２の押圧力が判別された場合は、前記制御内容として該当施設の詳細情報を表示する制御を決定することを特徴とする請求項３に記載の表示装置。
【請求項７】
前記表示装置はナビゲーション用の地図を表示し、
前記地図上に施設を示す施設アイコンを表示する施設アイコン表示手段をさらに有し、
前記押圧位置検出手段は、前記施設アイコンの位置への押圧操作を検知し、
前記表示制御手段は、前記押圧力検出手段によって前記第１の押圧力が判別された場合は、前記簡易情報として該当施設の概要情報を表示するように制御し、前記押圧力検出手段によって前記第２の押圧力が判別された場合は、前記詳細情報として該当施設の詳細情報を表示するように制御し、前記施設の前記概要情報または前記詳細情報と共に、当該施設を前記ナビゲーションの目的地として設定可能な操作画像を表示するように制御することを特徴とする請求項５に記載の表示装置。
【発明の詳細な説明】
【技術分野】
【０００１】
本発明は、タッチパネルを有する表示装置に関し、特に、簡易な操作性を保ちつつ、操作者の操作感覚に即した適切な情報の表示を行うことができる表示装置に関する。
【背景技術】
【０００２】
従来、車載用のカーナビゲーションシステムなどに搭載され、地図情報や、車両の位置情報、目的地への経路情報といった運転者を支援する情報の表示を行う車載用表示装置が知られている。そして、かかる車載用表示装置が提供する情報量は、各種電子機器の高性能化や多機能化などに応じてますます増加の傾向にある。
【０００３】
こうした傾向に対応するため、近年では、タッチパネルによる入力操作機能を備えた車載用表示装置が普及してきている。かかるタッチパネルの導入により、運転者は、簡易な操作で、自分が望む情報の提供を受けることが可能となってきた。
【０００４】
具体的には、運転者は、タッチパネルの所定位置に表示されたアイコンなどの操作部品そのものを単に押す（いわゆる「タッチ」）、あるいは滑らせる（いわゆる「スライド」）といった直感的な操作を行うことによって情報の選択を行うことができる。
【０００５】
すなわち、ヒューマンマシンインタフェース（Human  Machine  Interface；いわゆる「ＨＭＩ」）を拡充することによって、膨大かつ多様な各種情報のデータ構造の影響を、運転者が受けにくくすることができる。
【０００６】
なお、かかる各種情報のデータ構造は、簡明な管理を目的として、上位階層から下位階層へ向けて徐々に詳細化するような階層構造をとることが多い。したがって、かかる階層構造をとる情報の表示を行うにあたっては、簡易情報の表示から徐々に詳細情報の表示へと遷移するのが一般的である。
【０００７】
すなわち、ある操作部品（たとえば、アイコンＡ）へ、ある一連の表示遷移パターンが割り当てられている場合、かかるアイコンＡの押圧を繰り返すことによって、簡易情報表示から詳細情報表示へと遷移してゆくこととなる。
【０００８】
なお、特許文献１には、操作部品に対する押圧の強弱に応じて異なる機械的駆動を行う、タッチパネル付き装置が提案されている。
【先行技術文献】
【特許文献】
【０００９】
【特許文献１】特開２００４−１１０３８８号公報
【発明の概要】
【発明が解決しようとする課題】
【００１０】
しかしながら、上述した従来技術を用いた場合、操作者が望む情報を即時に表示できないケースがあるという問題があった。たとえば、上述のアイコンＡに割り当てられた表示遷移パターンの最下位に操作者の望む情報が対応づけられている場合、操作者は、かかる情報が表示されるまで、アイコンＡの押圧を繰り返す必要があった。
【００１１】
特に、車載用表示装置である場合、操作者は運転者であることが多く、その運転者は運転操作に注意を向ける必要があって、車載用表示装置の複雑な操作は信号待ち等の停車時にしかできないと言った制約がかかるといった背景から、かかる煩雑な操作は、車載用表示装置には適切でない操作形態であった。
【００１２】
また、操作者は、簡易情報を表示する場合には、たとえば、アイコンＡを１度押圧するのみでよいのに対して、詳細情報を表示する場合には、かかる煩雑な操作を経る必要があった。
【００１３】
すなわち、従来技術では、たとえば、押圧の強弱に区別をつけず一律に押すという動作として認識するといったような１種類の操作方式しかタッチパネルは認識しないため、同一の操作部品に対して、操作者は心理的に異なる操作（押圧の強弱で区別をつけて操作）を行ったにも関わらず、このような操作者の心理的な操作感覚に即した適切な情報を得られない場合があった。
【００１４】
なお、特許文献１の技術は、同一の操作部品に対する押圧を２段階に区別して、かかる区別に応じたバイブレータの機械的駆動を制御する技術であるため、上述のような、上位階層の情報と下位階層の情報とが関連付けられているといった階層構造にある各種情報を表示するにあたっての操作性向上には寄与しない。
【００１５】
これらのことから、簡易な操作性を保ちつつ、操作者の操作感覚に即した適切な情報の表示を行うことができる車載用表示装置をいかにして実現するかが大きな課題となっている。なお、かかる課題は、車載用表示装置だけでなく表示装置全般についても同様に発生する課題である。
【００１６】
本発明は、上述した従来技術による問題点を解消するためになされたものであって、簡易な操作性を保ちつつ、操作者の操作感覚に即した適切な情報の表示を行うことができる表示装置を提供することを目的とする。
【課題を解決するための手段】
【００１７】
上述した課題を解決し、目的を達成するため、本発明は、タッチパネルを有する表示装置であって、前記タッチパネルにおいて検出された操作態様についての押圧の程度を示す押圧量を検出する検出手段と、前記検出手段によって検出された前記押圧量に基づいて前記操作態様を細分化したうえで、細分化された前記操作態様のそれぞれについてあらかじめ対応付けられた処理への振り分けを行う振分手段とを備えたことを特徴とする。
【発明の効果】
【００１８】
本発明によれば、簡易な操作性を保ちつつ、操作者の操作感覚に即した適切な情報の表示を行うことができるという効果を奏する。
【図面の簡単な説明】
【００１９】
【図１】図１は、本発明に係る一実施形態における操作判別手法の概要を示す図である。
【図２】図２は、操作感覚へのあてはめ例を示す図である。
【図３】図３は、表示装置の構成を示すブロック図である。
【図４】図４は、動作パターンの定義例を示す図である。
【図５】図５は、押圧操作の動作例を示す図その１である。
【図６】図６は、押圧操作の動作例を示す図その２である。
【図７】図７は、押圧操作の動作例を示す図その３である。
【図８】図８は、スライド操作の動作例を示す図その１である。
【図９】図９は、スライド操作の動作例を示す図その２である。
【図１０】図１０は、表示装置が実行する処理手順を示すフローチャートである。
【図１１】図１１は、認証操作に用いる変形例を示す図である。
【発明を実施するための形態】
【００２０】
以下に、添付図面を参照して、本発明に係る操作判別手法の好適な実施例を詳細に説明する。なお、以下では、本発明に係る一実施形態における操作判別手法の概要について図１を用いて説明した後に、本発明に係る一実施形態における操作判別手法を適用した表示装置についての実施例を図２〜図１１を用いて説明することとする。
【００２１】
また、以下では、表示装置が、カーナビゲーションシステムへ搭載された車載用表示装置である場合について説明することとし、かかる表示装置が取り扱う各種情報のデータ構造は、上位階層から下位階層へ向けて徐々に詳細化する階層構造をとっているものとする。
【００２２】
まず、本発明に係る一実施形態における操作判別手法の概要について図１を用いて説明する。図１は、本発明に係る一実施形態における操作判別手法の概要を示す図である。なお、図１の（Ａ）には、操作部品１点を押圧操作する場合について、図１の（Ｂ）には、タッチパネルの２点間をスライド操作する場合について、それぞれ示している。
【００２３】
図１の（Ａ−１）に示したように、タッチパネル１１には、アイコン１００を含む地図情報が表示されており、かかるアイコン１００を押圧することによって、アイコン１００が示す施設に関する簡易情報あるいは詳細情報が表示されるものとする。
【００２４】
ここで、従来の手法によれば、簡易情報から詳細情報への表示遷移は、操作者がアイコン１００の押圧を繰り返す（タッチパネルから指を離すことで押圧を一旦解除し、再度押圧する）ことによって行われていた。すなわち、アイコン１００を押圧するという一つの操作態様は、あくまで情報表示のための一つの操作として取り扱われていた。
【００２５】
このため、操作者である運転者は、たとえば、信号待ちなどの間に下位階層にある詳細情報を表示させたければ、わずかな停車時間の間にアイコン１００の押圧を繰り返さなければならなかった。
【００２６】
そこで、本発明に係る一実施形態における操作判別手法では、アイコン１００の押圧操作という一つの操作態様を、操作者の操作感覚に見あうように細分化することとした。具体的には、押圧の強弱を操作感覚へあてはめることとしたうえで、かかる強弱を、押圧量を検出することによって示し、検出した押圧量に基づいて弱押圧操作と強押圧操作とに判別する（図１の（Ａ−１）参照）。
【００２７】
ここで、押圧の強弱の操作感覚へのあてはめは、たとえば、情報量の「多い」詳細情報の表示は、操作者の「強い」押圧操作になじみやすいといった見立てに基づく。かかる点の詳細については、図２を用いて後述する。
【００２８】
なお、弱押圧操作および強押圧操作の判別については、特にその手法を限定するものではない。たとえば、検出した押圧量を端的に２値化することによって判別してもよいし、弱押圧および強押圧のそれぞれの範囲について閾値を設定することによって判別してもよい。
【００２９】
また、図１の（Ａ−１）に示したように、以下では、弱押圧操作された場合のアイコン１００を「弱」と記載したアイコン１００ａを用いて、強押圧操作された場合のアイコン１００を「強」と記載したアイコン１００ｂを用いて、それぞれ示すこととする。
【００３０】
つづいて、本発明に係る一実施形態における操作判別手法では、判別した押圧操作の種別に応じて異なる動作を行わせることとした。具体的には、本発明に係る一実施形態における表示装置が、弱押圧操作であればかかる弱押圧操作の操作感覚に、強押圧操作であればかかる強押圧操作の操作感覚に、それぞれ即した挙動をとることにした。
【００３１】
たとえば、図１の（Ａ−２）に示したように、第１階層に呼出画面が、第２階層に簡易情報画面が、第３階層に詳細情報画面が、それぞれ対応づけられているものとする。このとき、本発明に係る一実施形態における表示装置は、弱押圧操作によっては（図１の（Ａ−２）の「弱」アイコン１００ａ参照）、呼出画面から簡易情報画面へ、簡易情報画面から詳細情報画面へと順次遷移する動作を行う。
【００３２】
一方、強押圧操作によっては（図１の（Ａ−２）の「強」アイコン１００ｂ参照）、簡易情報画面をスキップして、呼出画面から詳細情報画面へ直接遷移する動作を行う。すなわち、情報量の多い詳細情報を所望することで直感的に強押圧操作を行った操作者に対して、操作の簡易性を保ちつつ、即座に詳細情報を提供することを可能とする。
【００３３】
また、強押圧操作において、上述したような簡易情報画面をスキップして、呼出画面から詳細情報画面へ直接遷移する動作を行う手順であってもよいし、他の実施形態として、呼出画面から簡易情報画面への遷移、続いて簡易情報画面から詳細情報画面への遷移が連続的に行われる構成であってもよい。
【００３４】
この場合、簡易情報画面の出力処理が完了する前に詳細情報画面の出力処理が開始するため、操作者からの見た目上は、簡易情報画面の出力を飛ばして、詳細情報画面へ直接遷移する動作が行われたように見える。
【００３５】
なお、弱押圧操作時の動作を規定動作として、強押圧操作時の動作を例外動作として、それぞれ取り扱うこととしてもよい。かかる点の詳細については、図４を用いて後述する。また、図１の（Ａ）に示した、アイコン１００のような１点の操作部品を押圧操作する場合の詳細な動作例については、図５〜図７を用いて後述する。
【００３６】
なお、図１の（Ｂ）に示したように、１点を押圧操作する場合に限らず、タッチパネル１１の２点間を押圧しつつなぞるスライド操作についても、かかるスライド操作における押圧量に応じて動作を振り分けることができる。
【００３７】
また、スライド操作におけるスライド量（図１の（Ｂ）の２点ＰＱ間を参照）に対して、かかる押圧量を組み合わせることとしてもよい。かかるスライド操作における詳細な動作例については、図８および図９を用いて後述する。
【００３８】
このように、本発明に係る一実施形態における操作判別手法では、押圧操作という一つの操作態様を、押圧量によって弱押圧操作と強押圧操作とに細分化することとしたうえで、判別したそれぞれの操作の操作感覚に応じた動作を行うこととした。これにより、簡易な操作性を保ちつつ、操作者の操作感覚に即した適切な情報の表示を行うことができる。
【００３９】
以下では、図１を用いて説明した操作判別手法を適用した表示装置についての実施例を詳細に説明する。
【実施例】
【００４０】
図２は、押圧の強弱の操作感覚へのあてはめ例を示す図である。まず、押圧の強弱の操作感覚について概念的に説明すると、「弱」押圧操作は「普通」の感覚（一般的な押圧の強さ）を示し、押圧操作に対応する動作が通常のレベルで実行される。
【００４１】
一方で、「強」押圧操作は「よりレベルの高い」の感覚（特異な押圧の強さ）を示し、押圧操作に対応する動作がより高いレベルで実行される。換言すれば、たとえば、「普通」の感覚の押圧操作（「弱」押圧操作）で実行される動作レベルでは不足（不満足）だから、さらに押し込んで（「強」押圧操作）よりレベルの高い動作を求めると言った人間の心理を利用したものである。
【００４２】
なお、「Ｎｏ．」項目には説明の便宜のための端的なシーケンス番号を、「適用先」には押圧の強弱を何に対して適用するかの適用先を、「押圧量」項目には押圧の強弱の区分を、「感覚へのあてはめ」項目には押圧の強弱が「適用先」においてどのような感覚と合致するかを、「具体的適用例」項目には「適用先」における具体例を、それぞれ示している。
【００４３】
シーケンス番号「１」に示した「画面階層」を適用先とした場合、押圧量の強弱はかかる画面階層の深さにあてはめることができる。すなわち、操作者による「弱」押圧操作は、画面階層が「浅い」という感覚になじみやすい。したがって、具体的には、画面階層における「上位画面」へ適用することができる。
【００４４】
一方、「強」押圧操作は、画面階層が「深い」という感覚になじみやすい。したがって、具体的には、画面階層における「下位画面」へ適用することができる。
【００４５】
ここでは、押圧の強さと階層との関係を上位階層および下位階層で説明したが、他の操作感覚として、「弱」押圧操作が１つ下位の階層を示し、「強」押圧操作が更に下位の階層を示す場合や、「弱」押圧操作が１つ上位の階層を示し、「強」押圧操作が更に上位の階層を示す場合も考えられる。
【００４６】
また、シーケンス番号「２」に示した「情報量」を適用先とした場合、押圧量の強弱はかかる情報量の多さにあてはめることができる。すなわち、「弱」押圧操作は、情報量が「少ない」という感覚になじみやすい。したがって、具体的には、比較的情報量の少ない簡易情報を表示する「簡易画面」へ適用することができる。
【００４７】
一方、「強」押圧操作は、情報量が「多い」という感覚になじみやすい。したがって、具体的には、簡易情報に比べて情報量の多い詳細情報を表示する「詳細画面」へ適用することができる。
【００４８】
また、シーケンス番号「３」に示した「動作形態」を適用先とした場合、押圧量の強弱はかかる動作形態の種類にあてはめることができる。すなわち、「弱」押圧操作は、動作形態が「通常」である、あるいは、「普通」である（図示せず）といった感覚になじみやすい。したがって、具体的には、通常のナビゲーション情報などを表示する「通常画面」へ適用することができる。
【００４９】
一方、「強」押圧操作は、動作形態が「特別」である、あるいは、「特殊」である（図示せず）という感覚になじみやすい。したがって、具体的には、通常画面に対して操作に関するガイダンス情報などを表示する「ヘルプ画面」や「メニュー画面」（図示せず）へ適用することができる。
【００５０】
また、シーケンス番号「４」に示した「移動量」を適用先とした場合、押圧量の強弱はかかる移動量の大小にあてはめることができる。すなわち、「弱」押圧操作は、移動量が「小さい」といった感覚になじみやすい。したがって、具体的には、表示内容をスクロールさせる際のスクロール量を小さくする場合（図中では「スクロール小」と記載）へ適用することができる。
【００５１】
一方、「強」押圧操作は、移動量が「大きい」という感覚になじみやすい。したがって、具体的には、スクロール量を大きくする場合（図中では「スクロール大」と記載）へ適用することができる。
【００５２】
本実施例に係る表示装置は、上述のような操作感覚へのあてはめを前提とする動作パターンに基づき、弱押圧操作時あるいは強押圧操作時における動作を決定する。なお、図２に挙げたあてはめ例はあくまでも一例であって、図示した以外のあてはめを妨げるものではない。
【００５３】
次に、図３は、本実施例に係る表示装置１０の構成を示すブロック図である。なお、図３では、表示装置１０の特徴を説明するために必要な構成要素のみを示しており、一般的な構成要素についての記載を省略している。
【００５４】
図３に示すように、表示装置１０は、タッチパネル１１と、制御部１２と、記憶部１３とを備えている。また、制御部１２は、押圧位置検出部１２ａと、押圧量検出部１２ｂと、振分部１２ｃと、弱押圧動作部１２ｄと、強押圧動作部１２ｅと、表示制御部１２ｆとをさらに備えている。そして、記憶部１３は、動作パターン１３ａと、表示情報１３ｂとを記憶する。
【００５５】
タッチパネル１１は、液晶ディスプレイなどの表示部品とタッチパッドなどの位置入力部品とを組み合わせた入出力デバイスであり、アイコンなどの操作部品を表示して操作者による押圧操作（スライド操作を含む）を受け付ける。なお、タッチパネル１１は、受け付けた押圧操作信号を、制御部１２の押圧位置検出部１２ａおよび押圧量検出部１２ｂに対して通知する。
【００５６】
ここで、タッチパネル構造の一例を説明すると、タッチパネルは押圧位置と押圧量とを検知する必要があるため、従来のタッチパネル（静電容量式タッチパネル，抵抗値式タッチパネル）の構造で押圧位置を検知し、加えて、例えば、パネルホルダ（押圧操作による押圧力が伝わるパネル機構部品）に加わる力を感圧センサ等で押圧量を検知する構造を有する。
【００５７】
また、感圧センサがタッチパネルの四隅に設けられた構造では、例えば、各感圧センサの感圧値の比などから押圧位置を算出し、各感圧センサの感圧値の平均（総和）等から押圧量を算出するといった動作を行う。
【００５８】
制御部１２は、タッチパネル１１から通知された押圧操作信号に基づいて押圧位置および押圧量を検出し、検出した押圧位置での押圧量に即した情報表示を行うように動作を振り分ける処理を行う処理部である。
【００５９】
具体的には、検出した押圧位置に基づいて押圧位置の座標を特定し、特定された押圧位置の座標とその時の表示状態からどのような操作内容かを特定し、検出した押圧量に基づいて押圧操作が弱押圧操作であるか強押圧操作であるかを判別して、特定された操作内容から弱押圧操作あるいは強押圧操作に即した情報表示を行うように動作を振り分ける処理を行う。
【００６０】
なお、制御部１２は表示制御を行っているため、押圧位置とその時の表示状態と押圧量とから操作内容を解析し、操作内容に該当する制御を行なうことができる。
【００６１】
また、ここでは押圧位置を検出してから押圧量を検出する構成を記載したが、これに限定されることなく、たとえば、押圧量を検出してから押圧位置を検出する構成であってもよい。
【００６２】
押圧位置検出部１２ａは、タッチパネル１１から通知された押圧操作信号に基づき、押圧された場所を示す押圧位置を検出する処理部である。なお、かかる押圧位置の検出については、特にその手法を限定するものではない。
【００６３】
押圧量検出部１２ｂは、タッチパネル１１から通知された押圧操作信号に基づき、押圧の程度を示す押圧量を検出する処理部である。なお、かかる押圧量の検出については、特にその手法を限定するものではない。たとえば、抵抗膜方式や静電容量方式といったタッチパネル１１の動作方式を問わず、押圧方向に関する圧力や押し込み距離などを特化して計測する機構を設けてもよい。
【００６４】
また、タッチパネル１１の四隅に配置した感圧センサの出力値に基づいてタッチパネル１１の押圧位置および押圧量を併せて算出してもよい。また、押圧量検出部１２ｂは、検出した押圧量を振分部１２ｃに対して通知する処理を併せて行う。なお、このとき、操作部品の識別子や座標位置といった押圧位置を示す情報も併せて通知される。
【００６５】
振分部１２ｃは、押圧量検出部１２ｂから通知された押圧量に基づき、受け付けた押圧操作が弱押圧操作であるか、あるいは強押圧操作であるかを判別したうえで、判別した押圧操作に即した動作パターンで動作するように処理を振り分ける処理部である。
【００６６】
ここで、押圧操作の判別に関して説明すると、押圧量検出部１２ｂによって検出された押圧量の値が所定の閾値を超えたか否か（所定の閾値との関係性）を判定して、強押圧か弱押圧かを判別している。
【００６７】
例えば、検出された押圧量の値が所定の閾値を超えた場合は強押圧と判定し、検出された押圧量の値が所定の閾値を超えない場合は弱押圧と判定する。また、複数段の閾値（例えば、第１の閾値と、この第１の閾値よりも大きい第２の閾値）を設ければ、押圧の強さ（押圧力の程度）を複数に分けて判別できる。
【００６８】
なお、振分部１２ｃは、押圧操作が弱押圧操作である場合には、かかる弱押圧操作時の動作パターンを弱押圧動作部１２ｄに対して通知する。また、押圧操作が強押圧操作である場合には、かかる強押圧操作時の動作パターンを強押圧動作部１２ｅに対して通知する。各動作パターンについては、あらかじめ設定された、記憶部１３の動作パターン１３ａが参照される。
【００６９】
尚、構成を分かり易く説明するために主に機能ブロック構造で説明したが、制御部１２における各構成要素は、具体的にはマイクロコンピュータと、このマイクロコンピュータによって実行されるプログラム（記憶部１３に記憶される）により実現されるものである。
【００７０】
ここで、動作パターン１３ａの設定例について、図４を用いて説明しておく。図４は、動作パターン１３ａの設定例を示す図である。なお、図４の（Ａ）には、アイコン１００における動作遷移例を、図４の（Ｂ）には、かかる動作遷移例の設定例を、それぞれ示している。
【００７１】
図４の（Ａ）に示したように、アイコン１００においては、「弱」アイコン１００ａによって順次簡易情報および詳細情報を表示する動作が関連付けられているものとする。すなわち、図４の（Ａ）の破線の閉曲線１で囲まれた部分が、弱押圧操作時における動作パターンを示すことになる。
【００７２】
また、図４の（Ａ）に示したように、アイコン１００においては、「強」アイコン１００ｂによって簡易情報の表示をスキップしたうえで詳細情報を表示する動作が関連付けられているものとする。すなわち、「強」アイコン１００ｂが示す矢印が、強押圧操作時における動作パターンを示すことになる。
【００７３】
ここで、記憶部１３の動作パターン１３ａをあらかじめ設定するにあたって、図４の（Ａ）の破線の閉曲線１で囲まれた部分に示される弱押圧操作時の動作パターンを、アイコン１００における「規定動作」パターンとして取り扱うことができる。
【００７４】
かかる場合、図４の（Ｂ）に示したように、動作パターン１３ａには、弱押圧操作時の動作パターンをベースとした設定を行う。ここで、動作パターン１３ａは、「既定順」項目と、「動作」項目と、「強押圧」項目とを有している。なお、ここには、説明に必要な項目だけを挙げており、適宜項目が追加されることを妨げるものではない。
【００７５】
「既定順」項目は、「既定動作」の動作遷移順が格納される項目である。「動作」項目は、各「既定順」において実行される具体的動作が格納される項目である。「強押圧」項目は、強押圧操作時における動作遷移順が格納される項目である。なお、強押圧操作時における動作遷移順を、「既定動作」に対して「例外動作」の動作遷移順と言い換えてもよい。
【００７６】
ここに、図４の（Ａ）に示されるアイコン１００の動作遷移例をあてはめた場合、図４の（Ｂ）に示したように、「既定順」項目が「１」のレコードについては、「動作」項目へ「簡易情報表示」が格納される。
【００７７】
また、「強押圧」項目については、簡易情報の表示をスキップすることを示すように未格納とすることができる（図中の「−」参照）。あるいは、スキップすることを示す値（たとえば、０など）を格納してもよい。
【００７８】
そして、「既定順」項目が「２」のレコードについては、「動作」項目へ「詳細情報表示」が格納される。また、「強押圧」項目については、「例外動作」における最初の動作遷移順である「１」が格納される。
【００７９】
このように、動作パターン１３ａには、アイコン１００における「既定動作」パターン（図４の（Ｂ）の破線の閉曲線２に囲まれた部分参照）と、かかる「既定動作」パターンに対する「例外動作」パターンとを設定することができる。
【００８０】
そして、かかるアイコン１００から押圧操作を受け付けたならば、振分部１２ｃは、かかる押圧操作による押圧量に基づき、弱押圧操作であれば「規定動作」パターンを、強押圧操作であれば「例外動作」パターンを、それぞれ動作パターン１３ａから抽出して弱押圧動作部１２ｄあるいは強押圧動作部１２ｅに対して通知する。
【００８１】
すなわち、弱押圧操作時には「既定動作」を動作遷移順に１つずつ遷移する「既定動作」パターンが、強押圧操作時には「既定動作」を２以上の遷移量で遷移する「例外動作」パターンが、それぞれ実行されることとなる。
【００８２】
なお、上述した説明では、「既定動作」パターンに対する「例外動作」パターンを設定する例を示したが、「弱押圧」と「強押圧」それぞれの動作パターンを個別に設定することとしてもよい。
【００８３】
かかる場合、図４の（Ｂ）に示した「強押圧」項目に対して弱押圧操作時における動作遷移順を格納する「弱押圧」項目を追加し、弱押圧操作時における動作遷移順を個別に設定することとすればよい。
【００８４】
このような個別の設定を行うことによって、たとえば、弱押圧操作のみでは規定動作のうちのあるステップ以降を動作させないなど、押圧量に応じた細かい制御を行うことが可能となる。
【００８５】
なお、上述した説明では、図４の（Ｂ）に示す「動作」項目は、説明の便宜上、「簡易情報表示」あるいは「詳細情報表示」のようなテキスト値を格納する記載となっているが、格納値を限定するものではない。また、かかる点は、他項目についても同様である。さらに、各項目の格納値は、装置の運用に沿って適宜変更可能であるものとする。
【００８６】
また、上述した説明では、動作パターン１３ａへ設定される動作が「簡易情報表示」または「詳細情報表示」の２つである場合について説明したが、設定される動作数を限定するものではない。
【００８７】
図３の説明に戻り、弱押圧動作部１２ｄについて説明する。弱押圧動作部１２ｄは、振分部１２ｃから通知された弱押圧操作時の動作パターンを実行する処理を行う処理部である。同様に、強押圧動作部１２ｅは、振分部１２ｃから通知された強押圧操作時の動作パターンを実行する処理を行う処理部である。
【００８８】
なお、各動作パターンに表示動作が含まれる場合、弱押圧動作部１２ｄあるいは強押圧動作部１２ｅは、表示情報１３ｂに含まれる表示画像データや表示文字データを抽出して、表示制御部１２ｆに対して通知する処理を併せて行う。
【００８９】
表示制御部１２ｆは、弱押圧動作部１２ｄあるいは強押圧動作部１２ｅから通知された表示動作に関するデータに基づいて表示データを生成し、タッチパネル１１の表示部品に対して出力する処理を行う処理部である。
【００９０】
なお、表示制御部１２ｆは、弱押圧操作あるいは強押圧操作を問わない共通的な表示部品を表示データへ含むことができる。たとえば、カーナビゲーション用の「目的地登録ボタン」を、弱押圧操作時の簡易情報画面および強押圧操作時の詳細情報画面のいずれにおいても表示する場合、表示制御部１２ｆは、かかる「目的地登録ボタン」を含んだ表示データを生成する。
【００９１】
記憶部１３は、ハードディスクドライブや不揮発性メモリ、レジスタといった記憶デバイスで構成される記憶部であり、動作パターン１３ａと、表示情報１３ｂとを記憶する。
【００９２】
動作パターン１３ａについては、図４を用いて既に述べたため、ここでの記載を省略する。表示情報１３ｂは、弱押圧動作部１２ｄあるいは強押圧動作部１２ｅによって参照される表示動作に関する情報であり、表示画像データや表示文字データなどを含む。
【００９３】
ここで、１点の操作部品を押圧操作する場合の動作例について、図５を用いて説明する。図５は、押圧操作の動作例を示す図その１である。なお、図５の（Ａ）には、本実施例に係る表示装置１０の概略図を、図５の（Ｂ）には、具体的な押圧操作の動作例を、それぞれ示している。
【００９４】
図５の（Ａ）に示したように、本実施例に係る、カーナビゲーションシステムに搭載の表示装置１０は、タッチパネル１１を備えている。また、かかるタッチパネル１１の近傍には、複数のハードスイッチ４０を備える。
【００９５】
ハードスイッチ４０は、ボタンやダイヤルといったハードウェアとしての操作部品である。なお、ハードスイッチ４０やその近傍には、「設定」や「音量」などの役割を示す文字列が付されることが一般的である。
【００９６】
また、タッチパネル１１には、アイコン１００やソフトスイッチ３０といったソフトウェアによる操作部品が表示される。また、ウィンドウ５０は、情報表示用の画面であり、かかるウィンドウ５０へ簡易情報や詳細情報などの各種情報が表示される。
【００９７】
ここでは、操作者が、アイコン１００を押圧操作することによって（図５の（Ａ−１）参照）、ウィンドウ５０が開かれ（図５の（Ａ−２）参照）、各種情報を表示するものとする。また、ウィンドウ５０は、表示する情報の情報量などに応じて、適宜ウィンドウサイズや形態を変えるものとする。
【００９８】
図５の（Ｂ−ａ）に示したように、操作者が弱押圧操作を行った場合、タッチパネル１１には簡易情報を表示することができる。たとえば、図５の（Ｂ−ａ）には、「○×ショップ」というショップ名と、「０７８−９９９−９９９９」という電話番号とを簡易情報として表示した例を示している。
【００９９】
ここで、本実施例に係る表示装置１０は、かかる簡易情報を表示したウィンドウ５０から、カーナビゲーション機能における目的地の設定を行うことができる。具体的には、図５の（Ｂ−ａ）に示したように、簡易情報と併せてウィンドウ５０へ「目的地」ボタンを表示し、操作者による「目的地」設定のための押圧操作を受付可能とする。
【０１００】
また、図５の（Ｂ−ｂ）に示したように、操作者が強押圧操作を行った場合、タッチパネル１１には詳細情報を表示することができる（図５の（Ｂ−ｂａ）参照）。かかる動作は、情報量を多く得たいという操作者の操作感覚に即したものとなる（図２参照）。
【０１０１】
たとえば、図５の（Ｂ−ｂａ）には、「○×ショップ」というショップ名、「０７８−９９９−９９９９」という電話番号、「駐車場あり」という駐車場情報、「２０時迄営業」という営業時間および「土日休業」という定休日情報などからなる詳細情報を表示した例を示している。
【０１０２】
ここで、本実施例に係る表示装置１０は、かかる詳細情報を表示したウィンドウ５０に対しては、簡易情報の場合よりも多様な操作部品を表示することとしてもよい。たとえば、図５の（Ｂ−ｂａ）には、詳細情報の続きを表示する「次頁」ボタンを表示した例を示している。
【０１０３】
また、かかる強押圧操作時においても、弱押圧操作時と同様に、カーナビゲーション機能における目的地の設定を行うことができる（図５の（Ｂ−ｂａ）の「目的地」ボタン参照）。すなわち、押圧量に応じて異なる情報の表示を行った場合であっても、基幹となる動作（たとえば、「目的地」の設定）をいずれの場合においても行えるようにすることで、操作者の利便性を高めることができる。
【０１０４】
なお、強押圧操作時においては、動作形態に関して操作者が「通常」に対して「特別」（図２参照）の動作であると感ずる表示を行うようにしてもよい。たとえば、図５の（Ｂ−ｂｂ）には、「軽くタッチするごとにより詳しい情報をご覧になれます」という旨のヘルプ情報をウィンドウ５０へ表示した例を示している。このとき、図５の（Ｂ−ｂｂ）に示したように、「戻る」ボタンなどの操作部品を含めてもよい。
【０１０５】
また、同様に、「特別」の動作としてメニュー表示を行ってもよい。たとえば、図５の（Ｂ−ｂｃ）には、「地図表示設定」、「案内表示設定」、「ルート表示設定」および「その他」からなる選択メニューをウィンドウ５０へ表示した例を示している。これらのように、操作者の操作感覚に即した動作遷移を行うことによって、やはり操作者の利便性を高めることができる。
【０１０６】
ところで、図５を用いた説明では、タッチパネル１１へカーナビゲーションに関する情報を表示する場合について説明したが、テレビ放送を視聴する場合についても、弱押圧操作あるいは強押圧操作を用いることができる。
【０１０７】
そこで、かかる場合の動作例について、図６を用いて説明する。図６は、押圧操作の動作例を示す図その２である。なお、図６の（ａ）には、弱押圧操作の場合を、図６の（ｂ）には、強押圧操作の場合を、それぞれ示している。
【０１０８】
また、かかる図６を用いた説明では、「→」と記載されたアイコン２００を押圧操作の対象としたうえで、弱押圧された場合には、「弱」アイコン２００ａとして、強押圧された場合には、「強」アイコン２００ｂとして、それぞれ示すこととする。
【０１０９】
図６に示したように、本実施例に係る表示装置１０は、テレビ放送の視聴に関して、視聴中の番組Ａを第１階層へ、視聴中でない他の番組Ｂ、番組Ｃおよび番組Ｄを第２階層へ対応づけるものとする。また、電子番組表「ＥＰＧ（Electronic  Program  Guide）」を最下層である第３階層へ対応づけるものとする。
【０１１０】
ここで、図６の（ａ）に示したように、弱押圧操作によっては（図６の（ａ）の「弱」アイコン２００ａを参照）、第１階層および第２階層へ対応づけられた番組Ａから番組Ｄの間で、順次番組を切り替えることができる。
【０１１１】
なお、かかる動作は、画面階層における「浅い」、および、動作形態における「通常」という操作感覚に即したものとなる（図２参照）。
【０１１２】
また、図６の（ｂ）に示したように、強押圧操作によっては（図６の（ｂ）の「強」アイコン２００ｂを参照）、第１階層へ対応づけられた番組Ａと第３階層へ対応づけられたＥＰＧとを切り替えることができる。
【０１１３】
そして、かかる動作は、画面階層における「深い」、および、動作形態における「特別」という操作感覚に即したものとなる（図２参照）。
【０１１４】
なお、図６を用いた説明では、テレビ放送を視聴する場合の動作について説明したが、カーオーディオ再生する楽曲に関する情報を表示する場合に、弱押圧操作あるいは強押圧操作を用いてもよい。
【０１１５】
そこで、かかる場合の動作例について、図７を用いて説明する。図７は、押圧操作の動作例を示す図その３である。なお、図７の（Ａ）には、楽曲を切り替える場合を、図７の（Ｂ）には、アルバムを切り替える場合を、それぞれ示している。
【０１１６】
ここで、図７を用いた説明の前提条件として、各楽曲はルートフォルダを基点とするルート構造に管理されているものとする。ここで、図７に示した例では、ルートフォルダ配下に「アルバム＃１」フォルダと「アルバム＃２」フォルダとが存在しており、「アルバム＃１」フォルダには楽曲１１から楽曲１６の楽曲データが、「アルバム＃２」フォルダには楽曲２１および楽曲２２の楽曲データが、それぞれ格納されているものとする。また、矩形で囲まれた楽曲１１は、再生中の楽曲データであることを示している。
【０１１７】
また、図７の（Ａ）に示したように、タッチパネル１１には、「再生中」である「楽曲１１」の楽曲名と「アルバム＃１」のアルバム名とが表示されており、操作者は、切り替えボタンに相当する「▲」で示されるアイコン３００を押圧操作することによって、再生中の楽曲を切り替えることができるものとする。
【０１１８】
ここで、図７の（Ａ）に示したように、操作者がアイコン３００を弱押圧操作する場合には、たとえば、楽曲データの遷移量を「＋１」とすることができる。また、強押圧操作する場合には、たとえば、楽曲データの遷移量を「＋５」とすることができる。
【０１１９】
具体的には、記憶部１３の動作パターン１３ａに対して、アイコン３００に関する動作パターンを登録すればよい。たとえば、図４の説明において既に述べた動作パターン１３ａの「既定順」項目および「動作」項目へ各楽曲を再生順に並べ、「強押圧」項目に対しては楽曲を５曲ごとにスキップするように遷移順を格納すればよい。
【０１２０】
かかる場合、図７の（Ａ）に示したように、再生中の「現楽曲」である「楽曲１１」は、弱押圧操作によっては「楽曲１２」を「次楽曲」とすることとなる。また、強押圧操作によっては「楽曲１６」を「次楽曲」とすることとなる。
【０１２１】
また、アルバムの切り替えボタンに相当する「△」で示されるアイコン３５０を押圧操作した場合の動作について、同様の遷移を「アルバム単位」で行うことができる。
【０１２２】
かかる場合、操作者がアイコン３５０を弱押圧操作する場合には、たとえば、アルバムの遷移量を「＋１」とし、再生中の「現楽曲」が含まれているアルバムの次の順番で格納されているアルバムに含まれている１番目に再生されるよう指定される楽曲が再生される。
【０１２３】
また、強押圧操作する場合には、たとえば、アルバム名やアーティスト名で５０音順に格納されているとき、アルバムの遷移量を「インデックス単位」で「＋１」とし、再生中の「現楽曲」が含まれているアルバム名やアーティスト名の頭文字の次の文字（現在の文字が「あ」であれば、次の文字は「い」）を頭文字とするアルバム名やアーティスト名のアルバムに含まれる１番目に再生されるよう指定されている楽曲が再生される。
【０１２４】
なお、次の文字を頭文字とするアルバム名やアーティスト名のアルバムが存在しない場合は、更に次の文字を頭文字とするアルバム名やアーティスト名のアルバムを対象とする。
【０１２５】
また、図７の（Ｂ）に示したように、アルバム単位で切り替えるアイコン３５０が存在しないならば、操作者がアイコン３００を弱押圧操作する場合には、たとえば、楽曲データの遷移量を「＋１」とすることができる。また、強押圧操作する場合には、たとえば、楽曲データの遷移量を「アルバム単位」で「＋１」とすることができる。
【０１２６】
具体的には、動作パターン１３ａのアイコン３００に関する動作パターンにおいて、「強押圧」項目へアルバム単位ごとにスキップするように遷移順を格納すればよい。かかる場合、図７の（Ｂ）に示したように、再生中の「現楽曲」である「楽曲１１」は、弱押圧操作によっては「楽曲１２」を「次楽曲」とすることとなる。また、強押圧操作によってはアルバム単位のスキップを行って、「楽曲２１」を「次楽曲」とすることとなる。
【０１２７】
ところで、これまでは、１点の操作部品を押圧操作する場合について説明してきたが、タッチパネル１１の２点間を押圧しつつなぞるスライド操作についても、押圧量に応じて動作を振り分けることとしてもよい。
【０１２８】
そこで、かかる場合の動作例について、図８を用いて後述する。図８は、スライド操作の動作例を示す図その１である。なお、図８では、地図情報を表示する場合を例に挙げることとし、矩形αに囲まれた部分が、タッチパネル１１において現在表示されている現表示領域を示している。そして、操作者は、かかる現表示領域のＰＱ間においてスライド操作を行ったものとする。
【０１２９】
ここで、本実施例に係る表示装置１０は、かかるスライド操作における押圧量に応じて表示領域のスクロール量を切り替えることができる。具体的には、押圧量が「弱」である弱押圧操作については、スクロール量を、図８に示した「Ｗ１」とすることができる。また、押圧量が「強」である強押圧操作については、スクロール量を、「Ｗ１」よりも大きい「Ｗ２」とすることができる。
【０１３０】
したがって、図８に示した例では、現表示領域におけるスライド操作が弱押圧操作である場合には、次表示領域は破線の矩形βに囲まれた部分となる。すなわち、アイコン４００およびアイコン５００を含む地図情報へとスクロールされる。
【０１３１】
一方、現表示領域におけるスライド操作が強押圧操作である場合には、次表示領域は破線の矩形γに囲まれた部分となる。すなわち、アイコン４００およびアイコン５００を含む領域をスキップして、アイコン６００を含む地図情報へとスクロールされる。
【０１３２】
このように、スライド操作についてはスライド量（すなわち、ＰＱ間の距離）を考慮せずにその向きのみを考慮し、かかるスライド操作の押圧量に応じてスクロール量を変化させることで、少ない動きのスライド操作であっても、操作者へ所望する情報の提供を行うことが可能となる。言い換えれば、簡易な操作性を保ちつつ、適切な情報を表示することができる。
【０１３３】
なお、図８では、説明を分かりやすくするために、矩形α、βおよびγがそれぞれ重ならない例を示したが、これらが重なることを特に妨げるものではない。また、図８を用いた説明では、スライド量を考慮しない場合を例に挙げたが、かかるスライド量をスクロール量へ加味することとしてもよい。かかる場合については、図９を用いて後述する。
【０１３４】
次に、カーオーディオ再生する楽曲に関する情報を表示する際に、スライド操作における弱押圧操作あるいは強押圧操作を用いる場合について、図９を用いて説明する。図９は、スライド操作の動作例を示す図その２である。なお、図９の（Ａ）には、スライド操作における押圧量を用いる場合を、図９の（Ｂ）には、スライド量および押圧量を用いる場合を、それぞれ示している。
【０１３５】
また、図９を用いた説明で用いる楽曲のデータ構造は、上述した図７の説明における前提条件と同一であるものとする。また、図９の（Ａ）に示したように、タッチパネル１１には、「再生中」である「楽曲１１」の楽曲名を示す操作部品７００と、「アルバム＃１」のアルバム名を示す操作部品８００とが表示されており、操作者は、かかる操作部品７００をスライド操作することによって、再生中の楽曲を切り替えることができるものとする。また、同様に、操作部品８００は、アルバムの切り替えに対応する。
【０１３６】
図９の（Ａ）に示したように、操作者が操作部品７００を弱い押圧量でスライド操作する場合には、たとえば、楽曲データの遷移量を「＋１」とすることができる。また、強い押圧量でスライド操作する場合には、たとえば、楽曲データの遷移量を「＋５」とすることができる。
【０１３７】
ここで、記憶部１３の動作パターン１３ａに対しては、上述した図７の（Ａ）の場合と同様に、操作部品７００に関する動作パターンを登録すればよい。
【０１３８】
かかる場合、図９の（Ａ）に示したように、再生中の「現楽曲」である「楽曲１１」は、弱押圧操作によっては「楽曲１２」を「次楽曲」とすることとなる。また、強押圧操作によっては「楽曲１６」を「次楽曲」とすることとなる。
【０１３９】
また、アルバムの切り替えに対応する操作部品８００について、同様の遷移を「アルバム単位」で行うことができる。
【０１４０】
かかる場合、操作者がアイコン３５０を弱押圧操作する場合には、たとえば、アルバムの遷移量を「＋１」とし、再生中の「現楽曲」が含まれているアルバムの次の順番で格納されているアルバムに含まれている１番目に再生されるよう指定される楽曲が再生される。
【０１４１】
また、強押圧操作する場合には、たとえば、アルバム名やアーティスト名で５０音順に格納されているとき、アルバムの遷移量を「インデックス単位」で「＋１」とし、再生中の「現楽曲」が含まれているアルバム名やアーティスト名の頭文字の次の文字（現在の文字が「あ」であれば、次の文字は「い」）を頭文字とするアルバム名やアーティスト名のアルバムに含まれる１番目に再生されるよう指定されている楽曲が再生される。
【０１４２】
なお、次の文字を頭文字とするアルバム名やアーティスト名のアルバムが存在しない場合は、更に次の文字を頭文字とするアルバム名やアーティスト名のアルバムを対象とする。
【０１４３】
また、図９の（Ｂ）に示したように、押圧量だけでなく、ＰＱ間の距離であるスライド量を加味することとしてもよい。たとえば、スライド操作のスライド量を楽曲データの遷移量へ換算する比例定数などをあらかじめ定めておき、操作者が、操作部品７００を弱い押圧量でスライド操作した場合には、前述の比例定数を用いて換算したスライド量相当分の遷移量と、弱押圧分に相当する遷移量「＋１」との合計を、全体の遷移量とすることができる。
【０１４４】
一方、強い押圧量でスライド操作した場合には、スライド量相当分の遷移量と、強押圧分に相当する遷移量「＋５」との合計を、全体の遷移量とすることができる。
【０１４５】
かかる押圧量へスライド量を加味した制御は、たとえば、近年普及の目覚ましいＵＳＢ（Universal  Serial  Bus）メモリに大量の楽曲データを格納している場合などに、操作者が少ない操作で所望の楽曲を見つけやすくすることを可能とする。すなわち、取り扱うデータのデータ構造によるところなく、操作者の利便性を向上することができる。
【０１４６】
次に、表示装置１０が実行する処理手順について図１０を用いて説明する。図１０は、表示装置１０が実行する処理手順を示すフローチャートである。
【０１４７】
尚、この処理は、具体的には、制御部１２を構成するマイクロコンピュータによって実行され、このマイクロコンピュータによって実行される各々対応する処理部分で各機能部（図３記載の制御部１２内部にある各機能ブロック）が実現されるものであるが、ここでは各機能ブロックと処理の関係が明確となるよう対応する機能ブロックが実行すると言う表現を用いて説明する。
【０１４８】
図１０に示したように、まず、タッチパネル１１が、スライド操作を含む押圧操作を受け付ける（ステップＳ１０１）。そして、押圧位置検出部１２ａが、かかる押圧操作における押圧位置を検出し、押圧量検出部１２ｂが、かかる押圧操作における押圧量を検出する。また、制御部１２は、検出された押圧位置の座標を特定し、特定された押圧位置の座標とその時の表示状態からどのような操作内容かを特定する（ステップＳ１０２）。
【０１４９】
つづいて、振分部１２ｃが、検出した押圧量に基づいて弱押圧操作であるか否かを判定する（ステップＳ１０３）。ここで、弱押圧操作であると判定された場合（ステップＳ１０３，Ｙｅｓ）、振分部１２ｃは、記憶部１３の動作パターン１３ａから弱押圧操作における動作パターンを抽出して（ステップＳ１０４）、弱押圧動作部１２ｄへ処理を振り分ける。
【０１５０】
そして、弱押圧動作部１２ｄは、弱押圧操作における動作パターンに則る動作遷移を行う（ステップＳ１０５）。
【０１５１】
一方、ステップＳ１０３の判定条件を満たさなかった場合（ステップＳ１０３，Ｎｏ）、振分部１２ｃは、強押圧操作であるか否かを判定する（ステップＳ１０６）。ここで、強押圧操作であると判定された場合（ステップＳ１０６，Ｙｅｓ）、振分部１２ｃは、動作パターン１３ａから強押圧操作における動作パターンを抽出して（ステップＳ１０７）、強押圧動作部１２ｅへ処理を振り分ける。
【０１５２】
そして、強押圧動作部１２ｅは、強押圧操作における動作パターンに則る動作遷移を行う（ステップＳ１０８）。なお、ステップＳ１０６の判定条件を満たさなかった場合（ステップＳ１０６，Ｎｏ）、ステップＳ１０１からの処理を繰り返す。
【０１５３】
つづいて、表示制御部１２ｆが、弱押圧動作部１２ｄあるいは強押圧動作部１２ｅの動作遷移に基づいてタッチパネル１１へ情報表示を行った後（ステップＳ１０９）、処理を終了する。
【０１５４】
上述してきたように、本実施例では、押圧量検出部が、スライド操作を含む押圧操作の押圧量を検出し、振分部が、検出した押圧量に基づいて押圧操作を弱押圧操作あるいは強押圧操作に判別したうえで、弱押圧操作である場合には、弱押圧操作に応じた所定の動作パターンで動作するように、また、強押圧操作である場合には、強押圧操作に応じた所定の動作パターンで動作するように、それぞれ処理を振り分けるように表示装置を構成した。したがって、簡易な操作性を保ちつつ、操作者の操作感覚に即した適切な情報の表示を行うことができる。
【０１５５】
ところで、上述した実施例では、押圧量に応じて異なる動作パターンで表示遷移させる場合について説明してきたが、かかる押圧量の差異を、タッチパネル上で暗証番号の入力を受け付ける認証操作などに適用してもよい。
【０１５６】
そこで、以下では、かかる変形例について、図１１を用いて説明する。図１１は、認証操作に用いる変形例を示す図である。なお、図１１の（Ａ）には、認証操作画面の例を、図１１の（Ｂ）には、暗証番号が「１２３４」である場合の具体例を、図１１の（Ｃ）には、認証操作画面の呼び出し例を、それぞれ示している。
【０１５７】
図１１の（Ａ）に示したように、「暗証番号を入力してください」とガイダンス表示された、「０」から「９」のテンキーおよび「確認」ボタンを有する認証操作画面７０があるものとする。なお、ここでは、かかる認証操作画面７０は、タッチパネル上の操作部品として表示されているものとする。
【０１５８】
また、図１１の（Ｂ）に示したように、暗証番号は「１２３４」であるものとする。ここで、押圧量を考慮する場合、かかる暗証番号の数字それぞれについて、押圧量を加味することができる。
【０１５９】
たとえば、図１１の（Ｂ）に示したように、所定の閾値を基準として、暗証番号「１２３４」のうち、１桁目の「１」および４桁目の「４」には「強」押圧を、２桁目の「２」および３桁目の「３」には「弱」押圧を、それぞれ設定することができる。
【０１６０】
かかる場合、操作者は、「１」および「４」については「強」押圧で、「２」および「３」については「弱」押圧で、それぞれ入力しなければ認証許可を得ることができない。すなわち、わずか４桁の数値入力であっても、強力なセキュリティ強化を図ることが可能となる。
【０１６１】
また、ＡＴＭ（Automated  Teller  Machine）などで現金の引き出しを行う際に、後方などから暗証番号の入力操作を覗き見られた場合であっても、押圧量の差異は認識されにくいため、近年、増加している「スキミング」被害の発生を抑制することができる。
【０１６２】
なお、かかる暗証番号に関する操作のように、操作者へ重要な入力操作を行わせるにあたっては、所定の押圧量以上の押圧操作を行わなければ、そもそも認証操作画面７０のような操作画面を呼び出せないようにしてもよい。
【０１６３】
たとえば、図１１の（Ｃ）に示したように、「地図表示設定」、「案内表示設定」、「ルート表示設定」および「暗証番号設定」からなる選択メニューがウィンドウ５０へ表示されているものとする。
【０１６４】
かかる場合、「暗証番号設定」項目については、選択可否に押圧量を考慮することとしたうえで、「強」押圧操作によっては、認証操作画面７０を呼び出し可能と、「弱」押圧操作によっては、認証操作画面７０を呼び出し不可と、それぞれ動作パターンを定めればよい（図１１の（Ｃ）参照）。
【０１６５】
なお、上述した変形例では、主に車載用表示装置を例に挙げて説明したが、タッチパネルを備えた認証装置へ適用することとしてもよい。
【０１６６】
また、これまでは、主にタッチパネル上へ表示された操作部品を押圧操作する場合について説明してきたが、タッチパネル上の任意の１点を無作為に押圧操作する場合にも、本発明を適用することができる。
【０１６７】
たとえば、操作者へ「はい」あるいは「いいえ」の選択のみを行わせるような場合に、「はい」に対しては任意の１点の強押圧操作を、「いいえ」に対しては任意の１点の弱押圧操作をそれぞれ対応づけておけば、操作者は、逐一操作部品の位置を確認することなく押圧量の差異のみで操作を行うことが可能となる。すなわち、簡易な操作性を保ちつつ、操作者の操作感覚に即した適切な動作を行わせることが可能となる。
【０１６８】
また、これまで説明した実施形態では、押圧量を「強」と「弱」の２段階で処理することを一例として挙げたが、他の実施形態として、押圧量を「強」「通常（中）」「弱」の３段階や、「強大」「強小」「弱大」「弱小」の４段階など、複数段階で設定すれば、制御レベルをより細分化して実行することが可能となる。
【産業上の利用可能性】
【０１６９】
以上のように、本発明に係る表示装置は、簡易な操作性を保ちつつ、操作者の操作感覚に即した適切な情報の表示を行いたい場合に有用であり、特に、運転者へ迅速かつ適切に運転支援情報を提供する必要性の高いカーナビゲーションシステムへの適用に適している。
【符号の説明】
【０１７０】
１０    表示装置
１１    タッチパネル
１２    制御部
１２ａ  押圧位置検出部
１２ｂ  押圧量検出部
１２ｃ  振分部
１２ｄ  弱押圧動作部
１２ｅ  強押圧動作部
１２ｆ  表示制御部
１３    記憶部
１３ａ  動作パターン
１３ｂ  表示情報
３０    ソフトスイッチ
４０    ハードスイッチ
５０    ウィンドウ
７０    認証操作画面
１００、２００、３００、３５０、４００、５００、６００  アイコン
７００、８００  操作部品
【図１】
2012118825.tif 000003
【図２】
2012118825.tif 000004
【図３】
2012118825.tif 000005
【図４】
2012118825.tif 000006
【図５】
2012118825.tif 000007
【図６】
2012118825.tif 000008
【図７】
2012118825.tif 000009
【図８】
2012118825.tif 000010
【図９】
2012118825.tif 000011
【図１０】
2012118825.tif 000012
【図１１】
2012118825.tif 000013